(57)【要約】【課題】狭額縁化に適し、ラトルノイズを低減すること。【解決手段】実施形態の面状照明装置は、フレームと、１以上の光学シートと、弾性部材とを備える。前記フレームには、導光板が収容される。前記光学シートは、前記導光板に積層される。前記弾性部材は、前記フレームに固定される。前記光学シートは、当該光学シートの面内の一の方向および該方向と直交する方向に対する前記光学シートの移動を規制する第１の辺の対と、前記一の方向と反対の方向および該方向と直交する方向に対する前記光学シートの移動を規制する第２の辺の対とを有する。前記弾性部材は、前記第１の辺の対と対向する第１の面の対と、前記第２の辺の対と対向する第２の面の対とを有する。【選択図】図６
2020053204.tif 000002
【特許請求の範囲】
【請求項１】
導光板が収容されるフレームと、
前記導光板に積層される少なくとも１以上の光学シートと、
前記フレームに固定される弾性部材と、
を備え、
前記光学シートは、当該光学シートの面内の一の方向および該方向と直交する方向に対する前記光学シートの移動を規制する第１の辺の対と、前記一の方向と反対の方向および該方向と直交する方向に対する前記光学シートの移動を規制する第２の辺の対とを有し、
前記弾性部材は、前記第１の辺の対と対向する第１の面の対と、前記第２の辺の対と対向する第２の面の対とを有する、
面状照明装置。
【請求項２】
前記第１の辺の対および前記第２の辺の対は、前記光学シートの一辺と、前記光学シートの一辺から外周側に向けて張り出すように設けられた耳部とにより構成されている、
請求項１に記載の面状照明装置。
【請求項３】
前記耳部は、前記光学シートの一辺から外周側に向けて傾斜して延びる一対の辺を備え、
前記一対の辺の一方と前記光学シートの一辺とにより前記第１の辺の対が形成され、
前記一対の辺の他方と前記光学シートの一辺とにより前記第２の辺の対が形成される、
請求項２に記載の面状照明装置。
【請求項４】
前記耳部は、前記光学シートの一辺が延びる方向に互いに分離した２つの耳部から構成されている、
請求項２又は３に記載の面状照明装置。
【請求項５】
前記光学シートが複数の場合に、前記光学シートの各々の前記第１および第２の辺の対は互いに重なる位置に配置される、
請求項１〜４のいずれか一つに記載の面状照明装置。
【請求項６】
前記光学シートが複数の場合に、前記第１および第２の辺の対は互いに重ならない位置に配置され、
前記光学シートの各々の前記第１および第２の辺の対に対応して前記弾性部材の前記第１および第２の面の対が設けられる、
請求項１〜４のいずれか一つに記載の面状照明装置。
【請求項７】
前記耳部は、前記光学シートの一辺の中央から偏った位置に設けられる、
請求項２または３に記載の面状照明装置。
【発明の詳細な説明】
【技術分野】
【０００１】
本発明は、面状照明装置に関する。
【背景技術】
【０００２】
液晶表示装置のバックライト等として用いられる面状照明装置には、所望の光学特性が得られるよう、拡散シート、プリズムシート、ＤＢＥＦ（Dual  Brightness  Enhancement  Film）等の光学シートが設けられる場合がある。
【０００３】
これらの光学シートは、光出力に影響を与えないフレーム（筐体）の額縁部分においてテープ等により固定されることが多い。しかし、昨今のフレームの狭額縁化の傾向により、額縁部分においてテープ等を貼り付けるエリアが確保しづらくなっている。
【０００４】
一方、フレームに設けられた凹部に光学シートの端縁部の凸部が係合するようにして、光学シートの位置決めが行われるようにした例がある（例えば、特許文献１を参照）。
【先行技術文献】
【特許文献】
【０００５】
【特許文献１】特開２０１４−２６９２０号公報
【発明の概要】
【発明が解決しようとする課題】
【０００６】
しかしながら、フレームの額縁部分においてテープ等を貼り付けるエリアが確保できないことで、テープ等による光学シートの固定が省略されると、面状照明装置の動きに応じて光学シートが動き、フレームに光学シートが衝突する際のラトルノイズが発生してしまい、使用時においてユーザに対して不快感を与えてしまうという問題があった。なお、光学シートが面状照明装置の動きに応じて移動してしまうのは、熱膨張等による各部のサイズの増減を考慮して、フレーム内の光学シートが収容される部分のサイズに対して光学シートのサイズが小さめに作成され、若干のクリアランスが設けられていることによる。
【０００７】
また、フレームに設けられた凹部に光学シートの端縁部の凸部が係合するタイプにおいても、フレームの凹部と光学シートの凸部との間に若干のクリアランスが必要とされるため、面状照明装置の動きに応じてフレームの凹部と光学シートの凸部とが衝突し、ラトルノイズが発生してしまう。
【０００８】
本発明は、上記に鑑みてなされたものであって、狭額縁化に適し、ラトルノイズを低減することのできる面状照明装置を提供することを目的とする。
【課題を解決するための手段】
【０００９】
上述した課題を解決し、目的を達成するために、本発明の一態様に係る面状照明装置は、フレームと、１以上の光学シートと、弾性部材とを備える。前記フレームには、導光板が収容される。前記光学シートは、前記導光板に積層される。前記弾性部材は、前記フレームに固定される。前記光学シートは、当該光学シートの面内の一の方向および該方向と直交する方向に対する前記光学シートの移動を規制する第１の辺の対と、前記一の方向と反対の方向および該方向と直交する方向に対する前記光学シートの移動を規制する第２の辺の対とを有する。前記弾性部材は、前記第１の辺の対と対向する第１の面の対と、前記第２の辺の対と対向する第２の面の対とを有する。
【００１０】
本発明の一態様に係る面状照明装置は、狭額縁化に適し、ラトルノイズを低減することができる。
【図面の簡単な説明】
【００１１】
【図１】図１は、一実施形態に係るバックライトの外観斜視図である。
【図２】図２は、バックライトの構成要素を分解した状態を示す斜視図である。
【図３】図３は、図２における領域Ａの拡大図である。
【図４】図４は、フレームへの弾性部材の取付の様子を示す図である。
【図５】図５は、弾性部材をフレームの側壁側から見た図である。
【図６】図６は、弾性部材による光学シートの位置決めの様子を示す図である。
【図７】図７は、弾性部材による光学シートの位置決めの他の例を示す図（１）である。
【図８】図８は、弾性部材による光学シートの位置決めの他の例を示す図（２）である。
【図９】図９は、弾性部材による光学シートの位置決めの他の例を示す図（３）である。
【発明を実施するための形態】
【００１２】
以下、実施形態に係る面状照明装置について図面を参照して説明する。なお、この実施形態によりこの発明が限定されるものではない。また、図面における各要素の寸法の関係、各要素の比率などは、現実と異なる場合がある。図面の相互間においても、互いの寸法の関係や比率が異なる部分が含まれている場合がある。また、１つの実施形態や変形例に記載された内容は、原則として他の実施形態や変形例にも同様に適用される。
【００１３】
図１は、一実施形態に係るバックライト１の外観斜視図である。なお、バックライト１は、面状照明装置の一例であり、ナビゲーション装置やインジケータ等における液晶表示装置の背面に設けられる。
【００１４】
図１において、バックライト１は、長方形（正方形でも可）で板状の外形をしており、一方の面（図における表側の面）は出射面１ａとなっており、内部から外部に向かって光が照射されるようになっている。ナビゲーション装置やインジケータ等に用いられる場合、液晶表示装置は出射面１ａの側に装着される。
【００１５】
図２は、バックライト１の構成要素を分解した状態を示す斜視図である。図２において、バックライト１は、フレーム１１と、ＬＥＤ基板１３と、反射シート１４と、導光板１５と、光学シート１６、１７、１８と、枠１９とを備えている。
【００１６】
フレーム１１は、底板の外側４辺に縁（側壁）を有した略矩形状をしており、板金やダイカスト等により形成される。フレーム１１の一部に破線で示された領域Ａにはゴム等により形成された弾性部材１２が固定されている。領域Ａの部分の詳細については後述する。
【００１７】
フレーム１１には、ＬＥＤ基板１３、反射シート１４、導光板１５、光学シート１６、１７、１８が順次に収納され、枠１９により蓋がされてバックライト１が構成される。
【００１８】
ＬＥＤ基板１３は、細長い薄板状の基板の上に一方向に複数のＬＥＤが配列されており、フレーム１１の一の側壁（図における下側の側壁）の内面に固定され、導光板１５の端面に光を照射する。
【００１９】
反射シート１４は、ＬＥＤ基板１３のＬＥＤから導光板１５に入射された光のうち、導光する過程で出射面（図における表側の面）とは反対側の面に漏れた光を反射して導光板１５に戻す部材である。なお、反射シート１４は省略される場合もある。
【００２０】
導光板１５は、ＬＥＤ基板１３のＬＥＤから入射された光を導光し、出射面（図における表側の面）から光を出射する。
【００２１】
光学シート１６、１７、１８は、導光板１５から出射される光の光学特性を調整するためのシートであり、拡散シート、プリズムシート、ＤＢＥＦ（Dual  Brightness  Enhancement  Film）等の光学部材である。
【００２２】
光学シート１６、１７、１８の一辺（図において上側の辺）には、フレーム１１に固定された弾性部材１２と係合する耳部１６ａ、１７ａ、１８ａがそれぞれ設けられている。なお、耳部１６ａ、１７ａ、１８ａが設けられる光学シート１６、１７、１８の辺上の位置は、光学シート１６、１７、１８の表裏を間違えないように中央からずれた位置とされているが、表裏を間違えることがないか、表裏を変えても問題がない場合には、中央に設けられてもよい。また、図では光学シート１６、１７、１８の上側の辺に耳部１６ａ、１７ａ、１８ａが設けられているが、左右のいずれかの辺に設けられるようにしてもよい。
【００２３】
枠１９は、開口を形成する枠材のみからなり、フレーム１１の側壁と係合し、ＬＥＤ基板１３、反射シート１４、導光板１５、光学シート１６、１７、１８をバックライト１内に収容する。
【００２４】
図３は、図２における領域Ａの拡大図である。図３において、フレーム１１の側壁にはゴム等で形成された弾性部材１２が取り付けられている。
【００２５】
図４は、フレーム１１への弾性部材１２の取付の様子を示す図であり、図５は、弾性部材１２をフレーム１１の側壁側から見た図である。図４および図５において、弾性部材１２は略平板状の本体部１２ａを有し、本体部１２ａにおけるフレーム１１の側壁と対向する側の面には、フレーム１１の側壁側に突出した、略Ｕ字形の突出部１２ｂが設けられている。突出部１２ｂの一方の面１２ｄは、フレーム１１の側壁に設けられた矩形状の切欠部１１ａに係合し、弾性部材１２がフレーム１１に固定されるようになっている。
【００２６】
突出部１２ｂの他方の面１２ｃは、本体部１２ａの端面から一段下がって平坦になっており、光学シート１６、１７、１８の耳部１６ａ、１７ａ、１８ａが載置される。面１２ｃの一方の端部１２ｅには、フレーム１１の側壁側に向かって傾斜した面１２ｆと、本体部１２ａの長手方向に沿った面１２ｇとが設けられている。面１２ｆと面１２ｇとのなす角は鋭角になっている。面１２ｆ、１２ｇは、光学シート１６、１７、１８の耳部１６ａ、１７ａ、１８ａが設けられた部分における、光学シート１６、１７、１８の面内の一の方向および該方向と直交する方向に対する光学シート１６、１７、１８の移動を規制する第１の辺の対に対向する第１の面の対を形成する。
【００２７】
また、面１２ｃの他方の端部１２ｈには、フレーム１１の側壁側に向かって傾斜した面１２ｉと、本体部１２ａの長手方向に沿った面１２ｊとが設けられている。面１２ｉと面１２ｊとのなす角は鋭角になっている。面１２ｉ、１２ｊは、光学シート１６、１７、１８の耳部１６ａ、１７ａ、１８ａが設けられた部分における、光学シート１６、１７、１８の面内の一の方向と反対の方向および該方向と直交する方向に対する光学シート１６、１７、１８の移動を規制する第２の辺の対に対向する第２の面の対を形成する。
【００２８】
図６は、弾性部材１２による光学シート１６、１７、１８の位置決めの様子を示す図であり、光学シート１６、１７、１８の耳部１６ａ、１７ａ、１８ａを正面から見た状態を示している。耳部１６ａ、１７ａ、１８ａは、光学シート１６、１７、１８の一辺から外周側に向けて張り出すように設けられている。また、耳部１６ａ、１７ａ、１８ａは、光学シート１６、１７、１８の一辺から外周側に向けて傾斜して延びる一対の辺である辺１６ｂ、１７ｂ、１８ｂと辺１６ｄ、１７ｄ、１８ｄとを備えている。本実施形態では、辺１６ｂ、１７ｂ、１８ｂと辺１６ｄ、１７ｄ、１８ｄとは、光学シート１６、１７、１８の一辺から外周側に向けて互いに離れるように傾斜して延びている。なお、光学シート１６、１７、１８の耳部１６ａ、１７ａ、１８ａは、互いに重なる位置に設けられているものとしている。
【００２９】
図６において、光学シート１６、１７、１８の一辺と、この一辺に設けられた耳部１６ａ、１７ａ、１８ａとにより、光学シート１６、１７、１８の面内の一の方向および該方向と直交する方向に対する光学シート１６、１７、１８の移動を規制する第１の辺の対が構成されている。すなわち、耳部１６ａ、１７ａ、１８ａの辺１６ｂ、１７ｂ、１８ｂと、光学シート１６、１７、１８の一辺に沿った辺１６ｃ、１７ｃ、１８ｃとにより第１の辺の対が構成され、弾性部材１２の面１２ｆ、１２ｇと対向している。
【００３０】
また、光学シート１６、１７、１８の一辺と、この一辺に設けられた耳部１６ａ、１７ａ、１８ａとにより、光学シート１６、１７、１８の面内の一の方向と反対の方向および該方向と直交する方向に対する光学シート１６、１７、１８の移動を規制する第２の辺の対が構成されている。すなわち、耳部１６ａ、１７ａ、１８ａの辺１６ｄ、１７ｄ、１８ｄと、光学シート１６、１７、１８の一辺に沿った辺１６ｅ、１７ｅ、１８ｅとにより第２の辺の対が構成され、弾性部材１２の面１２ｉ、１２ｊと対向している。
【００３１】
このような構成により、光学シート１６、１７、１８は、耳部１６ａ、１７ａ、１８ａの辺１６ｂ、１７ｂ、１８ｂが弾性部材１２の面１２ｆに接触し、光学シート１６、１７、１８の一辺に沿った辺１６ｃ、１７ｃ、１８ｃが弾性部材１２の面１２ｇに接触した状態では、図における左方向および上下方向への移動が規制される。また、耳部１６ａ、１７ａ、１８ａの辺１６ｄ、１７ｄ、１８ｄが弾性部材１２の面１２ｉに接触し、光学シート１６、１７、１８の一辺に沿った辺１６ｅ、１７ｅ、１８ｅが弾性部材１２の面１２ｊに接触した状態では、図における右方向および上下方向への移動が規制される。
【００３２】
また、光学シート１６、１７、１８の耳部１６ａ、１７ａ、１８ａと弾性部材１２との間には若干のクリアランスが設けられ、バックライト１の移動により、光学シート１６、１７、１８が移動して耳部１６ａ、１７ａ、１８ａの辺１６ｂ、１７ｂ、１８ｂ等が弾性部材１２の面１２ｆ等に衝突する場合がある。しかし、光学シート１６、１７、１８の耳部１６ａ、１７ａ、１８ａと弾性部材１２とが衝突するものであるため、弾性部材１２の衝撃吸収作用によりラトルノイズはほとんど生じない。
【００３３】
したがって、テープ等により光学シート１６、１７、１８を固定しなくても光学シート１６、１７、１８を適正に位置決めしてラトルノイズの発生を防止することができ、バックライト１の狭額縁化に寄与することができる。
【００３４】
なお、光学シート１６、１７、１８の耳部１６ａ、１７ａ、１８ａを重ねて弾性部材１２に係合させる場合について説明したが、光学シート１６、１７、１８の耳部１６ａ、１７ａ、１８ａの位置を互いに重ならないようにし、耳部１６ａ、１７ａ、１８ａのそれぞれに対して弾性部材１２（複数）を設けるようにしてもよい。
【００３５】
図７は、弾性部材１２による光学シート１６、１７、１８の位置決めの他の例を示す図であり、図６における弾性部材１２の両端の構成を左右入れ替えて合体し、光学シート１６、１７、１８の耳部１６ａ、１７ａ、１８ａを分離して、弾性部材１２を挟み込むようにしたものである。なお、図６と機能的に対応する部分については同じ符号を用いている。
【００３６】
図７において、フレーム１１の側壁には弾性部材１２が固定されている。弾性部材１２は、正面視で略台形状の部材の一端に端部１２ｅおよび面１２ｆ、１２ｇを有し、他端に端部１２ｈおよび面１２ｉ、１２ｊを有している。また、光学シート１６、１７、１８には、第１の耳部１６ａ−１、１７ａ−１、１８ａ−１と、第２の耳部１６ａ−２、１７ａ−２、１８ａ−２とが設けられている。第１の耳部１６ａ−１、１７ａ−１、１８ａ−１には、辺１６ｄ−１、１７ｄ−１、１８ｄ−１が設けられている。第２の耳部１６ａ−２、１７ａ−２、１８ａ−２には、辺１６ｂ−２、１７ｂ−２、１８ｂ−２が設けられている。なお、辺１６ｄ−１、１７ｄ−１、１８ｄ−１と辺１６ｂ−２、１７ｂ−２、１８ｂ−２とは、光学シート１６、１７、１８の一辺から外周側に向けて互いに近づくように傾斜して延びている。
【００３７】
そして、第１の耳部１６ａ−１、１７ａ−１、１８ａ−１の辺１６ｄ−１、１７ｄ−１、１８ｄ−１は弾性部材１２の面１２ｉと対向し、光学シート１６、１７、１８の一辺に沿った辺１６ｅ−１、１７ｅ−１、１８ｅ−１は弾性部材１２の面１２ｊと対向している。また、第２の耳部１６ａ−２、１７ａ−２、１８ａ−２の辺１６ｂ−２、１７ｂ−２、１８ｂ−２は弾性部材１２の面１２ｆと対向し、光学シート１６、１７、１８の一辺に沿った辺１６ｃ−２、１７ｃ−２、１８ｃ−２は弾性部材１２の面１２ｇと対向している。
【００３８】
このような構成により、光学シート１６、１７、１８は、第１の耳部１６ａ−１、１７ａ−１、１８ａ−１の辺１６ｄ−１、１７ｄ−１、１８ｄ−１が弾性部材１２の面１２ｉに接触し、光学シート１６、１７、１８の一辺に沿った辺１６ｅ−１、１７ｅ−１、１８ｅ−１が弾性部材１２の面１２ｊに接触した状態では、図における右方向および上下方向への移動が規制される。また、第２の耳部１６ａ−２、１７ａ−２、１８ａ−２の辺１６ｂ−２、１７ｂ−２、１８ｂ−２が弾性部材１２の面１２ｆに接触し、光学シート１６、１７、１８の一辺に沿った辺１６ｃ−２、１７ｃ−２、１８ｃ−２が弾性部材１２の面１２ｇに接触した状態では、図における左方向および上下方向への移動が規制される。また、光学シート１６、１７、１８が移動して耳部１６ａ−１、１７ａ−１、１８ａ−１の辺１６ｄ−１、１７ｄ−１、１８ｄ−１等が弾性部材１２の面１２ｉ等に接触する際の衝突において、弾性部材１２の衝撃吸収作用によりラトルノイズはほとんど生じない。また、第１の耳部１６ａ−１、１７ａ−１、１８ａ−１と第２の耳部１６ａ−２、１７ａ−２、１８ａ−２とが互いに距離を置いて配置されることにより、光学シート１６、１７、１８の回転（光学シート１６、１７、１８の積層方向を回転軸とした回転）による変位量が小さく抑えられる利点もある。
【００３９】
したがって、テープ等により光学シート１６、１７、１８を固定しなくても光学シート１６、１７、１８を適正に位置決めしてラトルノイズの発生を防止することができ、バックライト１の狭額縁化に寄与することができる。
【００４０】
なお、光学シート１６、１７、１８の第１の耳部１６ａ−１、１７ａ−１、１８ａ−１と第２の耳部１６ａ−２、１７ａ−２、１８ａ−２とをそれぞれ重ねて弾性部材１２に係合させる場合について説明したが、光学シート１６、１７、１８の耳部１６ａ−１、１７ａ−１、１８ａ−１、１６ａ−２、１７ａ−２、１８ａ−２の位置を互いに重ならないようにし、第１の耳部１６ａ−１、１７ａ−１、１８ａ−１と第２の耳部１６ａ−２、１７ａ−２、１８ａ−２とのそれぞれの対に対して弾性部材１２（複数）を設けるようにしてもよい。
【００４１】
図８は、弾性部材１２による光学シート１６、１７、１８の位置決めの他の例を示す図であり、図６の光学シート１６、１７、１８の耳部１６ａ、１７ａ、１８ａにおける中央部で主要な構造を左右に分離したものである。なお、図６と機能的に対応する部分については同じ符号を用いている。
【００４２】
図８において、フレーム１１の側壁のある位置には第１の弾性部材１２−１が固定され、弾性部材１２−１の端部１２ｅには面１２ｆと面１２ｇとが設けられている。また、フレーム１１の側壁の他の位置には第２の弾性部材１２−２が固定され、弾性部材１２−２の端部１２ｈには面１２ｉと面１２ｊとが設けられている。
【００４３】
一方、光学シート１６、１７、１８には、第１の耳部１６ａ−１、１７ａ−１、１８ａ−１と、第２の耳部１６ａ−２、１７ａ−２、１８ａ−２とが、光学シート１６、１７、１８の一辺が延びる方向に互いに分離して設けられている。第１の耳部１６ａ−１、１７ａ−１、１８ａ−１には、辺１６ｂ−１、１７ｂ−１、１８ｂ−１が設けられている。第２の耳部１６ａ−２、１７ａ−２、１８ａ−２には、辺１６ｄ−２、１７ｄ−２、１８ｄ−２が設けられている。なお、辺１６ｂ−１、１７ｂ−１、１８ｂ−１と辺１６ｄ−２、１７ｄ−２、１８ｄ−２とは、光学シート１６、１７、１８の一辺から外周側に向けて互いに離れるように傾斜して延びている。
【００４４】
そして、第１の耳部１６ａ−１、１７ａ−１、１８ａ−１の辺１６ｂ−１、１７ｂ−１、１８ｂ−１は弾性部材１２−１の面１２ｆと対向し、光学シート１６、１７、１８の一辺に沿った辺１６ｃ−１、１７ｃ−１、１８ｃ−１は弾性部材１２−１の面１２ｇと対向している。また、第２の耳部１６ａ−２、１７ａ−２、１８ａ−２の辺１６ｄ−２、１７ｄ−２、１８ｄ−２は弾性部材１２−２の面１２ｉと対向し、光学シート１６、１７、１８の一辺に沿った辺１６ｅ−２、１７ｅ−２、１８ｅ−２は弾性部材１２−２の面１２ｊと対向している。
【００４５】
このような構成により、光学シート１６、１７、１８は、第１の耳部１６ａ−１、１７ａ−１、１８ａ−１の辺１６ｂ−１、１７ｂ−１、１８ｂ−１が弾性部材１２−１の面１２ｆに接触し、光学シート１６、１７、１８の一辺に沿った辺１６ｃ−１、１７ｃ−１、１８ｃ−１が弾性部材１２−１の面１２ｇに接触した状態では、図における左方向および上下方向への移動が規制される。また、第２の耳部１６ａ−２、１７ａ−２、１８ａ−２の辺１６ｄ−２、１７ｄ−２、１８ｄ−２が弾性部材１２−２の面１２ｉに接触し、光学シート１６、１７、１８の一辺に沿った辺１６ｅ−２、１７ｅ−２、１８ｅ−２が弾性部材１２−２の面１２ｊに接触した状態では、図における右方向および上下方向への移動が規制される。また、光学シート１６、１７、１８が移動して耳部１６ａ−１、１７ａ−１、１８ａ−１の辺１６ｂ−１、１７ｂ−１、１８ｂ−１等が弾性部材１２−１の面１２ｆ等に接触する際の衝突において、弾性部材１２−１等の衝撃吸収作用によりラトルノイズはほとんど生じない。また、２つの弾性部材１２−１、１２−２（または、第１の耳部１６ａ−１、１７ａ−１、１８ａ−１と第２の耳部１６ａ−２、１７ａ−２、１８ａ−２）が互いに距離を置いて配置されることにより、光学シート１６、１７、１８の回転（光学シート１６、１７、１８の積層方向を回転軸とした回転）による変位量が小さく抑えられる利点もある。
【００４６】
したがって、テープ等により光学シート１６、１７、１８を固定しなくても光学シート１６、１７、１８を適正に位置決めしてラトルノイズの発生を防止することができ、バックライト１の狭額縁化に寄与することができる。
【００４７】
なお、光学シート１６、１７、１８の第１の耳部１６ａ−１、１７ａ−１、１８ａ−１と第２の耳部１６ａ−２、１７ａ−２、１８ａ−２とをそれぞれ重ねて弾性部材１２−１、１２−２に係合させる場合について説明したが、光学シート１６、１７、１８の耳部１６ａ−１、１７ａ−１、１８ａ−１、１６ａ−２、１７ａ−２、１８ａ−２の位置を互いに重ならないようにし、耳部１６ａ−１、１７ａ−１、１８ａ−１、１６ａ−２、１７ａ−２、１８ａ−２のそれぞれに対して弾性部材１２−１、１２−２を設けるようにしてもよい。
【００４８】
図９は、弾性部材１２による光学シート１６、１７、１８の位置決めの他の例を示す図であり、図７の弾性部材１２における中央部で主要な構造を左右に分離したものである。なお、図７と機能的に対応する部分については同じ符号を用いている。
【００４９】
図９において、フレーム１１の側壁のある位置には第１の弾性部材１２−１が固定され、弾性部材１２−１の端部１２ｈには面１２ｉと面１２ｊとが設けられている。また、フレーム１１の側壁の他の位置には第２の弾性部材１２−２が固定され、弾性部材１２−２の端部１２ｅには面１２ｆと面１２ｇとが設けられている。
【００５０】
一方、光学シート１６、１７、１８には、第１の耳部１６ａ−１、１７ａ−１、１８ａ−１と、第２の耳部１６ａ−２、１７ａ−２、１８ａ−２とが、光学シート１６、１７、１８の一辺が延びる方向に互いに分離して設けられている。第１の耳部１６ａ−１、１７ａ−１、１８ａ−１には、辺１６ｄ−１、１７ｄ−１、１８ｄ−１が設けられている。第２の耳部１６ａ−２、１７ａ−２、１８ａ−２には、辺１６ｂ−２、１７ｂ−２、１８ｂ−２が設けられている。なお、辺１６ｄ−１、１７ｄ−１、１８ｄ−１と辺１６ｂ−２、１７ｂ−２、１８ｂ−２とは、光学シート１６、１７、１８の一辺から外周側に向けて互いに近づくように傾斜して延びている。
【００５１】
そして、第１の耳部１６ａ−１、１７ａ−１、１８ａ−１の辺１６ｄ−１、１７ｄ−１、１８ｄ−１は弾性部材１２−１の面１２ｉと対向し、光学シート１６、１７、１８の一辺に沿った辺１６ｅ−１、１７ｅ−１、１８ｅ−１は弾性部材１２−１の面１２ｊと対向している。また、第２の耳部１６ａ−２、１７ａ−２、１８ａ−２の辺１６ｂ−２、１７ｂ−２、１８ｂ−２は弾性部材１２−２の面１２ｆと対向し、光学シート１６、１７、１８の一辺に沿った辺１６ｃ−２、１７ｃ−２、１８ｃ−２は弾性部材１２−２の面１２ｇと対向している。
【００５２】
このような構成により、光学シート１６、１７、１８は、第１の耳部１６ａ−１、１７ａ−１、１８ａ−１の辺１６ｄ−１、１７ｄ−１、１８ｄ−１が弾性部材１２−１の面１２ｉに接触し、光学シート１６、１７、１８の一辺に沿った辺１６ｅ−１、１７ｅ−１、１８ｅ−１が弾性部材１２−１の面１２ｊに接触した状態では、図における右方向および上下方向への移動が規制される。また、第２の耳部１６ａ−２、１７ａ−２、１８ａ−２の辺１６ｂ−２、１７ｂ−２、１８ｂ−２が弾性部材１２−２の面１２ｆに接触し、光学シート１６、１７、１８の一辺に沿った辺１６ｃ−２、１７ｃ−２、１８ｃ−２が弾性部材１２−２の面１２ｇに接触した状態では、図における左方向および上下方向への移動が規制される。また、光学シート１６、１７、１８が移動して耳部１６ａ−１、１７ａ−１、１８ａ−１の辺１６ｄ−１、１７ｄ−１、１８ｄ−１等が弾性部材１２−１の面１２ｉ等に接触する際の衝突において、弾性部材１２−１等の衝撃吸収作用によりラトルノイズはほとんど生じない。また、２つの弾性部材１２−１、１２−２（または、第１の耳部１６ａ−１、１７ａ−１、１８ａ−１と第２の耳部１６ａ−２、１７ａ−２、１８ａ−２）が互いに距離を置いて配置されることにより、光学シート１６、１７、１８の回転（光学シート１６、１７、１８の積層方向を回転軸とした回転）による変位量が小さく抑えられる利点もある。
【００５３】
したがって、テープ等により光学シート１６、１７、１８を固定しなくても光学シート１６、１７、１８を適正に位置決めしてラトルノイズの発生を防止することができ、バックライト１の狭額縁化に寄与することができる。
【００５４】
なお、光学シート１６、１７、１８の第１の耳部１６ａ−１、１７ａ−１、１８ａ−１と第２の耳部１６ａ−２、１７ａ−２、１８ａ−２とをそれぞれ重ねて弾性部材１２−１、１２−２に係合させる場合について説明したが、光学シート１６、１７、１８の耳部１６ａ−１、１７ａ−１、１８ａ−１、１６ａ−２、１７ａ−２、１８ａ−２の位置を互いに重ならないようにし、耳部１６ａ−１、１７ａ−１、１８ａ−１、１６ａ−２、１７ａ−２、１８ａ−２のそれぞれに対して弾性部材１２−１、１２−２を設けるようにしてもよい。
【００５５】
以上、本発明の実施形態について説明したが、本発明は上記実施形態に限定されるものではなく、その趣旨を逸脱しない限りにおいて種々の変更が可能である。
【００５６】
以上のように、実施形態に係る面状照明装置は、フレームと、１以上の光学シートと、弾性部材とを備える。フレームには、導光板が収容される。光学シートは、導光板に積層される。弾性部材は、フレームに固定される。光学シートは、当該光学シートの面内の一の方向および該方向と直交する方向に対する光学シートの移動を規制する第１の辺の対と、一の方向と反対の方向および該方向と直交する方向に対する光学シートの移動を規制する第２の辺の対とを有する。弾性部材は、第１の辺の対と対向する第１の面の対と、第２の辺の対と対向する第２の面の対とを有する。これにより、面状照明装置の狭額縁化に適し、ラトルノイズを低減することができる。
【００５７】
また、第１の辺の対および第２の辺の対は、光学シートの一辺と、光学シートの一辺から外周側に向けて張り出すように設けられた耳部とにより構成されている。これにより、光学シートの位置決めを簡易に行うことができる。
【００５８】
また、耳部は、光学シートの一辺から外周側に向けて傾斜して延びる一対の辺を備え、一対の辺の一方と光学シートの一辺とにより第１の辺の対が形成され、一対の辺の他方と光学シートの一辺とにより第２の辺の対が形成される。これにより、光学シートの位置決めを簡易に行うことができる。
【００５９】
また、耳部は、光学シートの一辺が延びる方向に互いに分離した２つの耳部から構成されている。これにより、光学シートの位置決めのための構造のバリエーションを増やすことができる。また、光学シートの積層方向を回転軸とした回転による変位量が小さく抑えられる。
【００６０】
また、光学シートが複数の場合に、光学シートの各々の第１および第２の辺の対は互いに重なる位置に配置される。これにより、光学シートの位置決めを簡易に行うことができる。
【００６１】
また、光学シートが複数の場合に、第１および第２の辺の対は互いに重ならない位置に配置され、光学シートの各々の第１および第２の辺の対に対応して弾性部材の第１および第２の面の対が設けられる。これにより、光学シートの位置決めのための構造のバリエーションを増やすことができる。
【００６２】
また、耳部は、光学シートの一辺の中央から偏った位置に設けられる。これにより、光学シートの取付時に表裏を間違えないようにすることができる。
【００６３】
また、上記実施の形態により本発明が限定されるものではない。上述した各構成素を適宜組み合わせて構成したものも本発明に含まれる。また、さらなる効果や変形例は、当業者によって容易に導き出すことができる。よって、本発明のより広範な態様は、上記の実施の形態に限定されるものではなく、様々な変更が可能である。
【符号の説明】
【００６４】
１  バックライト，１１  フレーム，１２、１２−１、１２−２  弾性部材，１６、１７、１８  光学シート，１６ａ、１７ａ、１８ａ  耳部
【図１】
2020053204.tif 000003
【図２】
2020053204.tif 000004
【図３】
2020053204.tif 000005
【図４】
2020053204.tif 000006
【図５】
2020053204.tif 000007
【図６】
2020053204.tif 000008
【図７】
2020053204.tif 000009
【図８】
2020053204.tif 000010
【図９】
2020053204.tif 000011